(57)【要約】  設計書の変更箇所についてレビューをしたり詳細設計をしたりするためには、変更箇所を的確に見つけ出すとともに、変更箇所間の関連性や変更手順や変更理由を提示することが有効であり、そのための手段が必要である。また、これらの変更箇所をそれぞれの変更処理終了と同時に抽出することによって、変更箇所や変更手順を確認しながら漏れなく抽出できる手段が必要である。  このため、本発明の設計変更管理支援方法や、そのシステムでは、既存の設計書を変更して新しい設計書を作成する設計書変更作成業務において、任意の変更処理ごとに変更前と変更後の設計書を比較・参照して、変更箇所、及び変更箇所の属性情報や変更箇所に関する操作情報を抽出し、抽出した情報をもとに変更箇所間の関連性や変更手順を判別、その結果を提示する手段を備えたことを特徴とするものである。
2015033393.tif 000002
【特許請求の範囲】
【請求項１】
既存の設計書を変更して新しい設計書を作成する設計変更管理支援システムにおいて、
任意の変更処理ごとに変更前と変更後の設計書を比較・参照して、変更箇所、及び変更箇所の属性情報や変更箇所に関する操作情報を抽出し、抽出した情報をもとに変更箇所間の関連性や変更手順を判別する手段を備えたことを特徴とする設計変更管理支援システム。
【請求項２】
請求項１の設計変更管理支援システムにおいて、
前記任意の変更処理の変更前、及び変更後を、設計書の頁変更、設計書作成手段の変更、設計書作成時の任意操作、または予め設定した設計書情報の抽出操作によって識別し、各変更処理の前後を表す設計書の情報を用いて変更処理の情報を抽出する手段を備えることを特徴とする設計変更管理支援システム。
【請求項３】
請求項１の設計変更管理支援システムにおいて、
前記抽出した変更処理の情報は、システム情報から抽出する変更処理の時刻、設計書作成手段、設計書ファイル名、または設計書の変更前と変更後の画像データを比較した差分情報から抽出する変更の有無、変更箇所の画像データ上の位置、または設計書の画像データを参照または一部を切り出して抽出する設計図名、図の種類、図番、頁、変更箇所の関連性を示す関連グループ番号のいずれか１つまたは複数であることを特徴とする設計変更管理支援システム。
【請求項４】
請求項１の設計変更管理支援システムにおいて、
過去に設計を変更した時に抽した変更処理の情報をもとに、頁の移動方向や各頁の処理時間、設計作成手段の使用順序を関連性判定データとして蓄積することにより、変更箇所間の関連性や変更手順を判別する手段を備えることを特徴とする設計変更管理支援システム。
【請求項５】
請求項１の設計変更管理支援システムにおいて、
変更箇所間の関連性や変更手順を判別した結果を提示するとき、任意の変更箇所について関連する他の変更箇所が変更手順に従って表示され、各変更箇所について変更処理後の画像データが参照、または出力できることを特徴とする設計変更管理支援システム。
【請求項６】
請求項１の設計変更管理支援システムにおいて、
変更箇所に関する情報を抽出したときに、その変更箇所についてのコメントや変更理由の記載を要求する、または後からまとめて編集することにより、変更点リストや変更来歴を作成する手段を備えることを特徴とする設計変更管理支援システム。
【請求項７】
既存の設計書を変更して新しい設計書を作成する設計変更管理支援方法において、
任意の変更処理ごとに変更前と変更後の設計書を比較・参照して、変更箇所、及び変更箇所の属性情報や変更箇所に関する操作情報を抽出し、抽出した情報をもとに変更箇所間の関連性や変更手順を判別することを特徴とする設計変更管理支援方法。
【請求項８】
請求項７の設計変更管理支援方法において、
前記任意の変更処理の変更前、及び変更後を、設計書の頁変更、設計書作成手段の変更、設計書作成時の任意操作、または予め設定した設計書情報の抽出操作によって識別し、各変更処理の前後を表す設計書の情報を用いて変更処理の情報を抽出することを備えることを特徴とする設計変更管理支援方法。
【請求項９】
請求項７設計変更管理支援方法において、
前記抽出した変更処理の情報は、システム情報から抽出する変更処理の時刻、設計書作成手段、設計書ファイル名、または設計書の変更前と変更後の画像データを比較した差分情報から抽出する変更の有無、変更箇所の画像データ上の位置、または設計書の画像データを参照または一部を切り出して抽出する設計図名、図の種類、図番、頁、変更箇所の関連性を示す関連グループ番号のいずれか１つまたは複数であることを特徴とする設計変更管理支援方法。
【請求項１０】
請求項７の設計変更管理支援方法において、
過去に設計を変更した時に抽した変更処理の情報をもとに、頁の移動方向や各頁の処理時間、設計作成手段の使用順序を関連性判定データとして蓄積することにより、変更箇所間の関連性や変更手順を判別することを備えることを特徴とする設計変更管理支援方法。
【請求項１１】
請求項７の設計変更管理支援方法において、
変更箇所間の関連性や変更手順を判別した結果を提示するとき、任意の変更箇所について関連する他の変更箇所が変更手順に従って表示され、各変更箇所について変更処理後の画像データが参照、または出力できることを特徴とする設計変更管理支援方法。
【請求項１２】
請求項７の設計変更管理支援方法において、
変更箇所に関する情報を抽出したときに、その変更箇所についてのコメントや変更理由の記載を要求する、または後からまとめて編集することにより、変更点リストや変更来歴を作成することを備えることを特徴とする設計変更管理支援方法。
【発明の詳細な説明】
【技術分野】
【０００１】
本発明は、設計書を変更して新たな設計書を作成するときの設計変更支援方法、およびそのシステムに関する。
【背景技術】
【０００２】
設計業務において、既存の設計書の仕様を変更して新たな設計書を作成したとき、設計書の変更内容を他の人に説明したり、その変更した設計書をもとに詳細設計の変更をする場合がある。その場合、変更した内容について他の人に効率よく伝えることが必要であり、そのための支援技術が考えられている。【０００３】
本技術分野の背景技術として、〔特許文献１〕がある。この広報には「バージョンの異なる仕様情報集合間の変更情報の管理並びに提示を効率よく実施できる仕様管理機能を提供する。」と記載されている。また、〔特許文献２〕がある。この公報には、「設計変更等に起因する製造手順情報の変更作業に要する工数を削減する。」と記載されている。さらに、〔特許文献３〕がある。この広報には、「制御盤における図面を改定（設計変更）する場合、設計者の手間を省き工作作業者へ変更内容が分かり易い作業指示図面を作成する設計支援システムを実現する。」と記載されている。
【先行技術文献】
【特許文献】
【０００４】
【特許文献１】特開２０１１−０７０５７３号広報
【特許文献２】特開２０１１−０２２１８２号広報
【特許文献３】特開２００３−２８４２１２号広報
【発明の概要】
【発明が解決しようとする課題】
【０００５】
従来の技術では、設計変更による変更前と変更後の設計書を比較して変更のあった箇所を抽出し、その抽出結果から追加情報、削除情報、変更情報に分類して提示したり、変更した内容に従った製造手順を出力したり、作業指示画面を作成したりしている。【０００６】
しかしながら、変更箇所についてレビューをしたり詳細設計をしたりするためには、設計書の中から変更箇所を的確に見つけ出すとともに、どの設計仕様を変更したためにどの図面を変更し、さらにその変更によって別のどの図面を変更したといった、変更箇所間の関連性や変更手順、変更理由を提示することが変更内容を説明する上で有効である。また、これらの変更箇所はそれぞれの変更処理終了と同時に抽出して確認できることによって、変更箇所や変更手順を漏れなく適切に抽出することができる。
【課題を解決するための手段】
【０００７】
上記の課題を解決するために、本発明は既存の設計書を変更して新しい設計書を作成する設計変更管理支援システムにおいて、任意の変更処理ごとに変更前と変更後の設計書を比較・参照して、変更箇所、及び変更箇所の属性情報や変更箇所に関する操作情報を抽出し、抽出した情報をもとに変更箇所間の関連性や変更手順を判別する手段を備えたことを特徴とするものである。【０００８】
更に、本発明は設計変更管理支援システムにおいて、前記任意の変更処理の変更前、及び変更後を、設計書の頁変更、設計書作成手段の変更、設計書作成時の任意操作、または予め設定した設計書情報の抽出操作によって識別し、各変更処理の前後を表す設計書の情報を用いて変更処理の情報を抽出する手段を備えることを特徴とするものである。【０００９】
更に、本発明は設計変更管理支援システムにおいて、前記抽出した変更処理の情報は、システム情報から抽出する変更処理の時刻、設計書作成手段、設計書ファイル名、または設計書の変更前と変更後の画像データを比較した差分情報から抽出する変更の有無、変更箇所の画像データ上の位置、または設計書の画像データを参照または一部を切り出して抽出する設計図名、図の種類、図番、頁、変更箇所の関連性を示す関連グループ番号のいずれか１つまたは複数であることを特徴とするものである。【００１０】
更に、本発明は設計変更管理支援システムにおいて、過去に設計を変更した時に抽した変更処理の情報をもとに、頁の移動方向や各頁の処理時間、設計作成手段の使用順序を関連性判定データとして蓄積することにより、変更箇所間の関連性や変更手順を判別する手段を備えることを特徴とするものである。【００１１】
更に、本発明は設計変更管理支援システムにおいて、変更箇所間の関連性や変更手順を判別した結果を提示するとき、任意の変更箇所について関連する他の変更箇所が変更手順に従って表示され、各変更箇所について変更処理後の画像データが参照、または出力できることを特徴とするものである。【００１２】
更に、本発明は設計変更管理支援システムにおいて、変更箇所に関する情報を抽出したときに、その変更箇所についてのコメントや変更理由の記載を要求する、または後からまとめて編集することにより、変更点リストや変更来歴を作成する手段を備えることを特徴とするものである。【００１３】
また、上記の課題を解決するために、本発明は既存の設計書を変更して新しい設計書を作成する設計変更管理支援方法において、任意の変更処理ごとに変更前と変更後の設計書を比較・参照して、変更箇所、及び変更箇所の属性情報や変更箇所に関する操作情報を抽出し、抽出した情報をもとに変更箇所間の関連性や変更手順を判別することを特徴とするものである。【００１４】
更に、本発明は設計変更管理支援方法において、前記任意の変更処理の変更前、及び変更後を、設計書の頁変更、設計書作成手段の変更、設計書作成時の任意操作、または予め設定した設計書情報の抽出操作によって識別し、各変更処理の前後を表す設計書の情報を用いて変更処理の情報を抽出することを備えることを特徴とするものである。【００１５】
更に、本発明は設計変更管理支援方法において、前記抽出した変更処理の情報は、システム情報から抽出する変更処理の時刻、設計書作成手段、設計書ファイル名、または設計書の変更前と変更後の画像データを比較した差分情報から抽出する変更の有無、変更箇所の画像データ上の位置、または設計書の画像データを参照または一部を切り出して抽出する設計図名、図の種類、図番、頁、変更箇所の関連性を示す関連グループ番号のいずれか１つまたは複数であることを特徴とするものである。【００１６】
更に、本発明は設計変更管理支援方法において、過去に設計を変更した時に抽した変更処理の情報をもとに、頁の移動方向や各頁の処理時間、設計作成手段の使用順序を関連性判定データとして蓄積することにより、変更箇所間の関連性や変更手順を判別することを備えることを特徴とするものである。【００１７】
更に、本発明は設計変更管理支援方法において、変更箇所間の関連性や変更手順を判別した結果を提示するとき、任意の変更箇所について関連する他の変更箇所が変更手順に従って表示され、各変更箇所について変更処理後の画像データが参照、または出力できることを特徴とするものである。【００１８】
更に、本発明は設計変更管理支援方法において、変更箇所に関する情報を抽出したときに、その変更箇所についてのコメントや変更理由の記載を要求する、または後からまとめて編集することにより、変更点リストや変更来歴を作成することを備えることを特徴とするものである。
【発明の効果】
【００１９】
本発明によれば、必要な変更箇所を漏れなく抽出するとともに任意の仕様変更に伴う図面の変更手順や関連性が明らかになり、変更箇所リストや来歴方が効率的に作成できる。さらに、変更箇所について効率よく他者に伝えることを実現できる。
【図面の簡単な説明】
【００２０】
【図１】全体構成図
【図２】基本仕様項目データ作成手順
【図３】設計書変更処理手順
【図４】設計書変更例（１）
【図５】設計書変更例（２）
【図６】基本仕様項目登録例
【図７】画面表示抽出例
【図８】抽出結果例
【図９】処理手順例
【図１０】変更手順判定例
【図１１】出力データ例（１）変更リスト
【図１２】出力データ例（２）来歴表
【発明を実施するための形態】
【００２１】
以下、本発明の実施例を図１から図１１を用いて説明する。
図１は、本発明の設計変更管理支援システムの全体構成を示す図である。本システムは既存の設計において設定した基本仕様項目、またはその仕様項目をもとに作成した基本仕様項目を保管する基本仕様項目データベース１０１、前記作成した基本仕様項目の仕様項目、及び仕様値を編集する基本仕様項目データ編集装置１０２、１つまたは複数のアプリケーションによって作成される設計書、及び設計書作成時の画面情報から操作情報や設計書に関する属性情報を抽出する設計書情報抽出装置１０３、抽出された操作情報や属性情報を保管する設計書情報データベース１０４、過去の設計書をもとに設計書の仕様項目や設計図面間の関連性を判定するためのデータを保管する関連性判定データベース１０５、前記設計書情報、及び前記関連性判定データから仕様変更に伴う変更箇所の抽出や変更箇所間の関連性、変更手順を判別する仕様変更・関連性情報抽出装置１０６、前記判別した結果を保管する仕様変更・関連性抽出情報データベース１０７、変更箇所の抽出情報を確認したり、基本仕様項目との関係や変更に関する情報を登録、編集する仕様・コメント登録装置１０８、前記登録、編集結果を保管する変更情報一覧データベース１０９、変更箇所について抽出、編集された結果を提示するための変更点リストや来歴表を作成する変更点リスト・来歴表作成装置１１０、変更点リストや来歴表を保管する変更点リスト・来歴表データベース１１１によって構成されている。
【００２２】
ここで前記の設計書に関する属性情報は、例えば変更箇所の抽出時間、図の名称や図番、頁、画像情報など、その設計書、及び設計図面を特定するための情報のことである。
【００２３】
また、設計書の仕様変更に伴って設計図面等が変更することを派生するとし、このときの関連性の情報を派生情報とよぶ。
【００２４】
図２は、図１に図示した本発明の設計変更管理支援システムにおいて、設計の概略を決定する基本仕様項目データを作成する時の処理手順の一例をフローチャートで示す。
【００２５】
標準製品のカスタマイズや既存製品に類似した製品開発では、既存の設計書の仕様をもとに仕様の一部を変更し、この仕様の変更に伴う既存の設計図面の関連する箇所の変更を行う場合があり、本処理手順はその場合を示す。
【００２６】
開始後、既存の設計で設定した基本仕様項目をテンプレートとして読み込む（ステップ２０１：以下、S201と称す）。次に基本仕様項目について追加や削除などの編集をして新しい基本仕様項目を作成する（S２０２）。さらに、既存の設計における仕様値を変更したり、追加した仕様項目の仕様値を設定したりして新しい仕様値を登録する（S２０３）。
【００２７】
設計を開始した後の設計書のバージョンアップ（レビジョンアップ）による設計書の修正の場合も同様に、前のバージョン（レビジョン）について決定した基本仕様項目や仕様値を読み込み、基本仕様項目の編集や新しい仕様値の登録を行い、終了する。
【００２８】
図３に本発明の設計変更管理支援システムにおける図１に図示した設計書情報抽出装置１０３による設計書変更時の設計書情報データベース１０４、仕様変更・関連性抽出情報データベース１０７、変更情報一覧データベース（１０９）獲得のためのユーザ処理手順の一例をフローチャートで示す。
【００２９】
開始後、任意の仕様変更に伴い、１つまたは複数のアプリケーションを使って関連する１つまたは複数の設計図面を変更する場合、関連する変更処理一式の開始時に関連性開始処理（S３０１）を行い、関連する変更処理一式の終了時に関連性終了処理（S３０７）を行う。本処理は、例えば関連する変更処理の開始や終了をシステムに知らせるアクションをユーザが実施することによって実現し、関連性のある変更箇所を同じグループ番号にするといったことを行う。ユーザのアクション以外の判定については後述する。
【００３０】
次に関連性のある変更箇所について、頁ごとに変更開始時と変更終了時の設計図面の画面をキャプチャしたり、設計書情報から設計変更による変更箇所の画面情報、操作情報、属性情報を抽出（S３０２、S３０３、S３０４）する。さらに各頁の設計変更終了時には変更箇所についてのコメントを登録したり抽出情報を編集する（S３０５）。コメント等の登録は変更点抽出時に随時処理する変更点抽出時登録処理（S３０５）と全ての設計書変更処理の後にまとめて処理する変更点登録処理（S３０９）がある。
【００３１】
仕様変更がない場合であっても設計図面の変更をすることもあり、この場合についても関連する変更処理について同じように処理することができる。
【００３２】
図４に、設計書の仕様を変更したときの設計図面の変更例において本発明の設計変更管理支援システムを使用しないで実現した例を示す。
【００３３】
図１に図示した基本仕様項目データ１０１の一部を簡略して表した例４００を示す。これは、仕様項目Ａの値がRev.（レビジョン)0のとき「a」、Rev.1のときは変わらず（「a」）、仕様項目Ｂの値がRev.0のとき「b」、Rev.1のとき「b’」）、仕様項目Ｃの値がRev.0のとき「c」、Rev.1のとき「c’」）に変更したことを示している。さらに、仕様項目Ｂの値を変更したことにより、Rev.0の設計書の一部４１０のP1（図V1）をRev.1の設計書の一部４２０ではP1(図V1’)４２１に変更し、その変更によってさらにP11(図L1’)４２２を変更している。これが、仕様項目Ｂの変更に伴う一連の変更処理である。また、仕様項目Ｃの値を変更したことにより、Rev.0の設計書の一部４１０のP2（図V2）をRev.1の設計書の一部４２０ではP2(図V2’)４２３に変更し、その変更によってさらにP12(図L2’)４２４を変更している。これが、仕様項目Ｃの変更に伴う一連の変更処理である。
【００３４】
この変更処理では、関連する変更箇所一式についての情報や変更手順を残していないので、変更後の設計図からわかる情報としては、Rev.0の設計図面について変更した箇所はわかるが、変更処理の関連性や手順を表す派生情報が保存されない（４４０）。
【００３５】
図５に、設計書の仕様を変更したときの設計図面の変更例において本発明の設計変更管理支援システムを使用して実現した例を示す。
【００３６】
図４と同様に、図１に図示した基本仕様項目データ１０１の一部を簡略して表した例４００を示す。本発明の設計変更管理支援システムにおいて図１に示した設計書情報抽出装置１０３、及び仕様変更・関連性情報抽出装置１０６によって、関連する変更処理の開始と関連する処理の終了がわかることにより、仕様項目Ｂの値の変更に伴ってRev.1において設計書の一部５１０のP1(図V1’)４２１が変更する処理、及びその変更によってさらにP11(図L1’)４２２が変更する処理が、仕様項目Ｂの変更に伴う一連の変更処理５３０として、認識され、また、仕様項目Ｃの値の変更に伴ってRev.1において設計書の一部５４０のP2(図V2’)４２３が変更する処理、及びその変更によってさらにP12(図L2’)４２４が変更する処理が、仕様項目Ｃの変更に伴う一連の変更処理５６０として別々に関連性が認識され、かつ変更処理の順序関係を表す変更手順が保存される。
【００３７】
図６に、本発明の設計変更管理支援システムにおける図１で示した基本仕様項目データ１０１の仕様項目、及び仕様値を編集する基本仕様項目データ編集装置１０２の入出力用画面である基本仕様項目登録画面例６００を示す。
【００３８】
この例では、基本仕様項目は仕様項目１（６０３）と仕様項目２（６０４）の２階層からなる。仕様項目の数は追加することができる。各項目のRev.0（６０５）には前のレビジョンで設定された値、またはテンプレートの初期値が記入されている。Rev.1において仕様変更により仕様値を変更する場合、Rev.0と同じ値であることを表す矢印（「←」）のかわりに変更した仕様値を入力し、変更した箇所は他と異なる色や字体を使って強調表示される６０６。この例では仕様項目が「容量」の仕様値を５２５ｋＶＡに変更している。さらに任意の仕様項目について仕様値が変更した場合であっても変更しない場合であっても、関連する設計図面が設定された場合その状態（S）を任意のマークで示す６２０。この例では仕様項目が容量、定格周波数、定格電流について関連する設計図面等が定義されていることを表している。
【００３９】
図７に、本発明の設計変更管理支援システムにおける、図１に図示した設計書情報抽出装置１０３が設計書の画面情報から変更箇所の操作情報や属性情報などの設計書情報データベース１０４を抽出するときの画面例を示す７００。
【００４０】
この例では、画面上に設計変更のためのアプリケーションの画面７０１と関連性の開始処理と終了処理や設計画面の画像キャプチャの開始と終了を実行するアクションボタン７１０、図６で示した基本仕様項目の登録画面６００、図１で示した設計書情報抽出装置１０３が獲得した設計書情報１０４を確認する画面８００が表示されている。
【００４１】
任意のアプリケーションによって設計書を作成したとき、設計書は１頁ごとに作成されるので、アプリケーションの各頁の設計図面を予め設定した場所、設定した大きさに表示し、その設計図面の変更前と変更後の設計書の画像をキャプチャすることによって変更箇所７０４の有無やその画面の中での変更箇所の位置情報を設計書のスケール７０２や画像データの位置情報を使って抽出する。また、設計書の各頁に記載されている固定情報７０３から図の名称や図番、図の種類、Rev.番号、頁、シート番号、さらに画像キャプチャ時の時刻、アプリケーション名、ファイル名、関連する変更処理一式の開始時の関連性開始処理と終了時の関連性終了処理によって抽出されたグループ番号を抽出する。
【００４２】
アプリケーションの変更や頁の変更のタイミングは画像からの抽出のほか、アプリケーション側からの動作情報を抽出する方法もある。また、画像キャプチャのタイミングは、アクションボタン等でユーザが指示するほか、一定時間ごとに予め決められた１または複数のアプリケーションの画像をキャプチャして前の画像と差分が生じた画像のみを保存する方法もある。
【００４３】
図８に、本発明の設計変更管理支援システムにおける、図７の例に示すような設計書の画面情報から抽出した変更箇所の設計書情報（１０４）の表示、及び各変更箇所についての来歴情報コメントを入力する画面例を示す（８００）。
【００４４】
この例では、各変更箇所について、Rev.番号８０１、時間８０２、アプリケーションファイル名８０３、頁８０４、変更箇所の位置８０５、図の種類８０６、関連性のグループ番号８０７、変更後の画像データを保存した場合のデータ名８１１を表示している。また、各変更箇所について来歴に記載するためのコメントの入力８０８、関係のある仕様項目の選択８１０を設定、さらに変更箇所について来歴コメントのほかに詳細情報を追加する場合、この例では詳細入力ボタン８０９から別のダイアログ８２０を開いて変更理由他欄にテキスト入力したりファイルをリンクする。
【００４５】
図９に、本発明の設計変更管理支援システムにおいて、基本仕様項目の仕様を変更したときに複数アプリケーション（部品図作成アプリケーション、接続図作成アプリケーション）を使って関連性のある複数ページの設計書を作成する画面上の処理手順例を示す。
【００４６】
この例では、基本仕様項目６００の仕様Ａが変更したとき９０１、それに伴って、部品図作成アプリケーションを使って、図番111AB22334のP3/60（９１０）のＡ(2)（９１１）と図番111AB22334のP5/60（９２０）のＡ(3)（９２１）を変更、さらに、接続図作成アプリケーションを使って、図番111CD22445のP3/30（９３０）のＡ(4)（９３１）を変更したことを表す。次に、基本仕様項目６００の仕様Ｂが変更したとき９０２、それに伴って、部品図作成アプリケーションを使って、図番111AB22334のP31/60（９４０）のＢ(6)1（９４１）とＢ(6)2（９４１）を変更、さらに、接続図作成アプリケーションを使って、図番111CD22445のP21/30（９５０）のＢ(7)（９５１）を変更し、他にも部品図作成アプリケーションを使って、図番111AB22334のP31/60（９４０）のＢ(8)（９４３）を変更、さらに、接続図作成アプリケーションを使って、図番111CD22445のP21/30（９５０）のＢ(9)（９５２）を変更したことを表す。
【００４７】
図１０に、本発明の設計変更管理支援システムにおいて、図９の例に示すような処理手順によって抽出られた変更箇所の関係や順序を判定する例を示す。
【００４８】
まず各頁ごとに変更箇所の情報を抽出した場合の結果（１０２０）は、それぞれ順序関係はなく、Ｂ(6)1、Ｂ(6)2とＢ(8)、Ｂ(7)とＢ(9)は関連性が異なるが判別できない。各頁ごとで頁の変更を区切りとして順序関係を決める場合の結果１０３０は、Ａ(2)→Ａ(3)→Ａ(4)→Ｂ(6)1とＢ(6)2→Ｂ(7)→Ｂ(8)→Ｂ(9)のように、各頁ごとに順序関係を設定することができる。変更箇所の図面の種類、またはアプリケーション（この例では、部品図と接続図、または部品図作成アプリケーションと接続図作成アプリケーション）の情報を抽出した場合の結果１０４０は、変更箇所を分類するができる。
【００４９】
そこで、各頁ごとに変更箇所を抽出し、頁が変更したときは順序関係の区切りとし、さらに図面の種類を関連性の区切り、この例では、「部品図→接続図」が関連性の区切りとする。これにより、順序関係がＡ(2)→Ａ(3)→Ａ(4)１０５１、Ｂ(6)1とＢ(6)2→Ｂ(7)（１０５２）、Ｂ(8)→Ｂ(9)１０５３となる関連性のある３つのグループを判別することができる。それぞれのグループと仕様項目との関係を設定することによって、この例では、仕様項目ＡとGroup１（１０５４）、仕様項目ＢとGroup２（１０５５）、仕様項目ＢとGroup３（１０５６）、各仕様項目に関連する変更箇所の関連性を設定することができる。
【００５０】
図１１に、本発明の設計変更管理支援システムにおいて、図１の変更点リスト・来歴表作成装置１１０の出力画面例である変更点リストを示す。
【００５１】
変更点リスト１１００は、設計変更が完了したときに各仕様項目の変更によってどの図面が変更し、それによって他のどの図面が変更したかといった派生情報を知るためのリストである。この例では、変更点リストに仕様項目１１１０、変更仕様１１２０、仕様変更に伴い変更した図面、例えば部品図１１３０や接続図１１４０について、その関連性と変更の順序関係（変更手順）がわかるように表示されている。この例ではさらに、図面の情報から実際の部品図や接続図の変更後の設計書の該当箇所を表示している。
【００５２】
図１２に、本発明の設計変更管理支援システムにおいて、図１の変更点リスト・来歴表作成装置１１０の出力画面例である来歴表を示す。
【００５３】
来歴表１２００は、設計変更が完了したときに設計書のどこを変更したかについて、時系列、頁ごとに参照するための表である。設計書情報の抽出や仕様変更・関連性情報の抽出をすることにより自動的に来歴表の各変更箇所を抽出し、コメント等の入力データとともに表示する。この例では、各変更箇所についてのRev.番号１２１０、頁１２２０、シート番号１２３０、位置１２４０、コメント１２５０、さらに詳細コメントを表示するボタン１２６０が表示されている。
【符号の説明】
【００５４】
１０１  基本仕様項目データ
１０２  基本仕様項目データ編集装置
１０３  設計書情報抽出装置
１０４  設計書情報データ
１０５  関連性判定データ
１０６  仕様変更・関連性情報抽出装置
１０７  仕様変更・関連性抽出情報
１０８  仕様項目・コメント登録装置
１０９  変更情報一覧データ
１１０  変更点リスト・来歴表作成装置
１１１  変更点リスト・来歴表データ
【図１】
2015033393.tif 000003
【図２】
2015033393.tif 000004
【図３】
2015033393.tif 000005
【図４】
2015033393.tif 000006
【図５】
2015033393.tif 000007
【図６】
2015033393.tif 000008
【図７】
2015033393.tif 000009
【図８】
2015033393.tif 000010
【図９】
2015033393.tif 000011
【図１０】
2015033393.tif 000012
【図１１】
2015033393.tif 000013
【図１２】
2015033393.tif 000014
【国際調査報告】
2015033393.tif 000015
2015033393.tif 000016